(57)【要約】【課題】  簡便に月表示を行い得るようにすることにより、運針負荷を最低限に抑え得るだけでなく、コストを最低限に抑え且つ所望に応じて小型化を図り得る簡易月表示式カレンダ時計を提供すること【解決手段】  簡易月表示式カレンダ時計１は、内周縁に内歯歯車２２及び月送り爪２３を備え、時車の回転に応じた回転駆動力を内歯歯車２２で受けて一日に一ステップ回転され、３１日で一回転される環状の日車２０と、該日車２０の一回転毎に月送り爪２３により一ステップ回転される月中間車５０と、該月中間車５０の回転に応じて回転される月車４０と、日車２０の内歯歯車２２に係合して日車２０を進み方向Ｃ１に回転可能なカレンダ修正機構８とを有する。【選択図】  図１
2008111700.tif 000002
【特許請求の範囲】
【請求項１】
内周縁に内歯歯車及び月送り爪を備え、時車の回転に応じた回転駆動力を前記内歯歯車で受けて一日に一ステップ回転され、３１日で一回転される環状の日車と、
該日車の一回転毎に前記月送り爪により一ステップ回転される月中間車と、
該月中間車の回転に応じて回転される月車と、
前記日車の前記内歯歯車に係合して該日車を進み方向に回転可能なカレンダ修正機構と
を有する簡易月表示式カレンダ時計。
【請求項２】
前記月車が前記日車と同心に配置され、該月中間車が前記日車の前記内歯歯車と前記月車の外周の歯車との間に位置する請求項１に記載の簡易月表示式カレンダ時計。
【請求項３】
日回し爪を備え前記時車の回転に応じて回転される日回し車を有する簡易月表示式カレンダ時計であって、
前記日車が、その厚さ方向の異なる位置に前記内歯歯車及び前記月送り爪を備え、
前記日送り爪が、前記内歯歯車に係合して前記日車を回転させる請求項１又は２に記載の簡易月表示式カレンダ時計。
【請求項４】
前記カレンダ修正機構が、
巻真がカレンダ修正巻真位置に設定された際に該巻真に係合するカレンダ修正伝え機構と、
前記日車の前記内歯歯車に噛合するカレンダ修正位置と該内歯歯車との噛合が解除される非カレンダ修正位置との間で可動であり、且つ前記カレンダ修正伝え機構に係合し巻真の回転に応じて該カレンダ修正伝え機構を介して回転されるカレンダ修正車と
を備える請求項１から３までのいずれか一つの項に記載の簡易月表示式カレンダ時計。
【請求項５】
前記月車に係合した月修正伝え車を更に有し、前記カレンダ修正車が前記非カレンダ修正位置において該月修正伝え車に噛合する請求項４に記載の簡易月表示式カレンダ時計。
【請求項６】
前記月送り爪が弾性変形可能である請求５に記載の簡易月表示式カレンダ時計。
【請求項７】
前記月車が、前記月中間車に噛合する第一の歯車部と、前記月修正伝え車に噛合する第二の歯車部とを、該月車の厚さ方向の異なる位置に有する請求項５又は６に記載の簡易月表示式カレンダ時計。
【請求項８】
前記月車の前記第二の歯車部に係合する月ジャンパを備える請求項７に記載の簡易月表示式カレンダ時計。
【請求項９】
前記カレンダ修正伝え機構は、巻真が前記カレンダ修正巻真位置に設定された際に巻真と一体的に回転可能なように該巻真に係合される第一カレンダ修正伝え車と、該第一カレンダ修正伝え車の回転に応じて回転され該回転を前記カレンダ修正車に伝達する第二カレンダ修正伝え車とを備える請求項４から８までのいずれか一つの項に記載の簡易月表示式カレンダ時計。
【請求項１０】
前記カレンダ修正車が巻真の回転方向に応じて前記カレンダ修正位置と前記非カレンダ修正位置との間で揺動可能である請求４から９までのいずれか一つの項に記載の簡易月表示式カレンダ時計。
【発明の詳細な説明】
【技術分野】
【０００１】
本発明は、月表示式カレンダ時計に係り、より詳しくは、カレンダの制御を機械的に行うタイプの月表示式カレンダ時計に係る。
【０００２】
月及び日の表示が可能な月表示式カレンダ時計は、知られている。
【０００３】
月には、いわゆる小の月と大の月とがあることから、従来の月表示式カレンダ時計は、これに対応し得るように、月末修正機構を備えていた（例えば、特許文献１や特許文献２）。
【０００４】
しかしながら、この種の月末修正機構付きの月表示式カレンダ時計において、月末修正機構は、月を確定し該月に応じて月末修正を行うために大の月や小の月を検出するプログラム歯車やカムの如き多数の機械要素や構造部品を要し、運針に対する負荷ないし抵抗が大きくなるのみならず、時計全体が複雑になることから、コスト高になり且つ時計が大形化するのを避け難い。
【特許文献１】特許第２６５１１５０号公報
【特許文献２】特開２００６−１６２６１１号公報
【発明の開示】
【発明が解決しようとする課題】
【０００５】
本発明は、前記諸点に鑑みなされたものであり、簡便に月表示を行い得るようにすることにより、運針負荷を最低限に抑え得るだけでなく、コストを最低限に抑え且つ所望に応じて小型化を図り得る簡易月表示式カレンダ時計を提供することにある。
【課題を解決するための手段】
【０００６】
本発明の簡易月表示式カレンダ時計は、前記目的を達成すべく、内周縁に内歯歯車及び月送り爪を備え、時車の回転に応じた回転駆動力を内歯歯車で受けて一日に一ステップ回転され、３１日で一回転される環状の日車と、日車の一回転毎に月送り爪により一ステップ回転される月中間車と、月中間車の回転に応じて回転される月車と、日車の前記内歯歯車に係合して日車を進み方向に回転可能なカレンダ修正機構とを有する。
【０００７】
本発明の簡易月表示式カレンダ時計では、「内周縁に月送り爪を備えた環状の日車と、日車の一回転毎に月送り爪により一ステップ回転される月中間車と、月中間車の回転に応じて回転される月車と」が設けられているので、月車が日車自体により月中間車を介して回されるから、月車を回転させるための構造が極めて簡単化され得る。すなわち、本発明の簡易月表示式カレンダ時計では、時車の回転に応じて一日毎に一ステップ回転される日車が月車を直接回すので、月車は、当該月が大の月であるか小の月であるかに係らず、日車が３１ステップ回転する毎に無条件に一月分送られる。従って、大の月であるか小の月であるかを判別したり、該判別に応じて月車の回転を制御することに係る月末修正機構は一切不要になる。その結果、本発明の簡易月表示式カレンダ時計では、運針の際の負荷が最低限に抑えられるだけでなく、構造が単純化され得るから、コストが最低限に抑えられ且つ薄型化や小径化の如き小型化を図ることも可能になる。
【０００８】
なお、本発明の簡易月表示式カレンダ時計では、「日車の内歯歯車に係合して日車を進み方向に回転可能なカレンダ修正機構」が設けられているので、小の月には、カレンダ修正機構を介して通常は一日分だけ日車を回すだけでよく、これにより、日車が一日分進められ、これに応じて月車が一月分進められる。なお、２月から３月に移行する場合は、２月が２８日まであるか２９日まであるかに応じて、カレンダ修正機構を操作して二日分又は一日分余分に日車を回せばよい。ここで、本発明の簡易月表示式カレンダ時計において、月末修正に際して、カレンダ修正機構の操作により日車の回転位置を修正するだけで修正を行ない得るのは、日車自体が月送り爪を備え、月中間車を介して月車を直接回すように日車と月車とが結合されていることによる。
【０００９】
本発明の簡易月表示式カレンダ時計では、典型的には、月車が日車と同心に配置され、月中間車が日車の内歯歯車と月車の外周の歯車との間に位置する。但し、例えば、カレンダ修正機構その他の時計部品の配置や他の機能部品等の配置次第では、月車が日車と同心でなくてもよい。
【００１０】
本発明の簡易月表示式カレンダ時計は、典型的には、日回し爪を備え前記時車の回転に応じて回転される日回し車を有する簡易月表示式カレンダ時計であって、前記日車が、その厚さ方向の異なる位置に前記内歯歯車及び前記月送り爪を備え、日送り爪が、前記内歯歯車に係合して日車を回転させるように構成される。
【００１１】
この場合、月送り爪の形状や構造を所望に応じて形成し易い。但し、日送り爪と月送り爪とが相互に干渉するのを避け得るように相互の配置や形状や弾性等を選択しておく場合、月送り爪が内歯歯車と同じところに又は該内歯歯車の歯の一つとして設けられていてもよい。すなわち、日送り爪は典型的には日送り車の回転に応じて内歯歯車の一つの歯部を日車の回転方向に押す。従って、月送り爪が内歯歯車の回転方向に日回し爪によって押される際に撓んで逃げるように構成される場合には、月送り爪は日車の内歯歯車に沿って形成されてもよい。
【００１２】
本発明の簡易月表示式カレンダ時計では、典型的には、カレンダ修正機構は、巻真がカレンダ修正巻真位置に設定された際に該巻真に係合するカレンダ修正伝え機構と、前記日車の前記内歯歯車に噛合するカレンダ修正位置と該内歯歯車との噛合が解除される非カレンダ修正位置との間で可動であり、且つ前記カレンダ修正伝え機構に係合し巻真の回転に応じて該カレンダ修正伝え機構を介して回転されるカレンダ修正車とを備える。
【００１３】
その場合、通常運針の際にカレンダ修正機構が日車の回転に対する負荷になるのを確実に避け得る。但し、所望ならば、例えば、単に、巻真がカレンダ修正巻真位置以外の所望位置にある場合に巻真とカレンダ修正伝え機構との係合が解除されるだけであってもよい。また、勿論、カレンダ修正伝え機構が巻真に係合される代わりに、他の芯体等に係合され、該他の芯体等を操作することにより、カレンダ修正が行われるようになっていてもよい。
【００１４】
本発明の簡易月表示式カレンダ時計では、典型的には、月車に係合した月修正伝え車を更に有し、前記カレンダ修正車は前記非カレンダ修正位置において月修正伝え車に噛合する。
【００１５】
その場合、例えば、ある程度の期間放置された時計を再度動かすような場合でも、例えば、日の修正を行った後に月だけを独立に修正することにより、正しい月日に簡単に合わせ得る。
【００１６】
本発明の簡易月表示式カレンダ時計では、典型的には、月送り爪が弾性変形可能である。その場合、月送り爪が月中間車と干渉するような位置にある場合でも、月車を単独で回転させて月修正のみを独立に行うことが可能になる。但し、月送り爪の形状や月中間車の形状や配置を選択して干渉を避け得る場合、月送り爪が弾性変形可能でなくてもよい。
【００１７】
本発明の簡易月表示式カレンダ時計では、典型的には、月車が、月中間車の歯部に噛合する第一の歯車部と、月修正伝え車に噛合する第二の歯車部とを、該月車の厚さ方向の異なる位置に有する。
【００１８】
その場合、月中間車の歯の形状及び月修正伝え車の歯の形状を独立に規定し得るので、日車の月送り爪及び月中間車によるカレンダ修正及び月修正伝え車による月修正の夫々に最適な形状の歯を用いることが可能になる。本発明の簡易月表実施式カレンダ時計では、好ましくは、第一の歯車部は、円板の周面に等角度間隔に小さな溝部を備えるような形態の歯車からなる。なお、所望ならば、第一及び第二の歯車部が共通の一つの歯車部であってもよい。
【００１９】
本発明の簡易月表示式カレンダ時計では、典型的には、月車の第二の歯車部に係合する月ジャンパを備える。第二の歯車部は月送り爪の動作に適する形状（月中間車の歯の形状）を考慮する必要がないので第一の歯車部よりもジャンパによる躍制動作を受け易い歯形状を備え得るから、月車の回転に対して確実に躍制動作を行い易い。但し、所望ならば、月ジャンパが第一の歯車部に係合して躍制動作を行うようになっていてもよい。
【００２０】
本発明の簡易月表示式カレンダ時計では、典型的には、前記カレンダ修正伝え機構は、巻真が前記カレンダ修正巻真位置に設定された際に巻真と一体的に回転可能なように該巻真に係合される第一カレンダ修正伝え車と、該第一カレンダ修正伝え車の回転に応じて回転され該回転をカレンダ修正車に伝達する第二カレンダ修正伝え車とを備える。その場合、第二カレンダ修正伝え車に係合するカレンダ修正車を可動に配置し易い。但し、所望ならば、カレンダ修正伝え機構を三つ以上の歯車で構成してもよい。奇数個であるか偶数個であるかに応じて、カレンダ修正車の配置は変更される。
【００２１】
本発明の簡易月表示式カレンダ時計では、典型的には、前記カレンダ修正車が巻真の回転方向に応じて前記カレンダ修正位置と前記非カレンダ修正位置との間で揺動可能である。その場合、第二カレンダ修正伝え車からカレンダ修正車に伝達される回転力の向きに応じてカレンダ修正位置と非カレンダ修正位置との間でカレンダ修正車を変位させ得る。従って、構造が極力簡単化され得る。ここで、非カレンダ修正位置は、月単独の修正位置に該当する。
【発明を実施するための最良の形態】
【００２２】
本発明の好ましい一実施の形態を添付図面に示した好ましい一実施例に基づいて説明する。
【実施例】
【００２３】
本発明の好ましい一実施例の簡易月表示式カレンダ時計１は、図１から図３に示したように、文字板２に、日表示窓３に加えて月表示窓４を備え、該窓４，３内に月及び日の表示を行い得る。
【００２４】
簡易月表示式カレンダ時計１の本体１０は、図２にその一部の断面図で示したように、秒針１１Ａが取付けられる秒車ないし四番車１１と、分針１２Ａが取付けられる分車ないし二番車１２と、時針１３Ａが取付けられる時車ないし筒車１３等の輪列を地板１４や輪列受１５等に支持された状態で有する。従って、この時計本体１０では、秒車１１、分車１２及び時車１３が、輪列を介して、電子的に又は機械的に調速状態で回転駆動されて、夫々の時刻表示針１１Ａ，１２Ａ，１３Ａにより秒、分及び時の表示を行う。
【００２５】
次に、簡易月表示式カレンダ時計１のカレンダ機構７について、詳細に説明する。
【００２６】
簡易月表示式カレンダ時計１は、中心軸線Ｃのまわりで回転可能な環状の日車２０と、該日車２０と同心の月車４０とを有する。日車２０の日板部２１には１〜３１までの日付表示文字がその周方向に沿って記載され、日表示窓３（図３）から「日（日付け）」が視認可能になっている。同様に、月車４０の月板部４２には１〜１２までの月表示文字がその周方向に沿って記載され、月表示窓４（図３）から「月」が視認可能になっている。
【００２７】
日車２０は、図１及び図２からわかるように、日表示文字が記載された日板部２１に加えて、内周縁に内歯歯車２２及び月送り爪２３を備えた内周側環状部２４を有する。内歯歯車２２は、内周側環状部２４の内周縁に沿って形成され、３１個の歯部２５及び３１個の谷部ないし凹部２６を備える。月送り爪２３は、内歯歯車２２に対して時計本体１０の厚さ方向Ｚにズレた位置にあり、図２に示した例では、時計本体１０の厚さ方向に関して内歯歯車２２よりも文字板２に近接する側にある。内側環状部内周側環状部２４の外周側には、切欠部２７があり、該切欠部２７に日板部２１が嵌着されている。なお、所望ならば、日板部２１と内周側環状部２４とが一体的に形成されていてもよい。
【００２８】
月送り爪２３は、図１からわかるように、内周側環状部２４の本体部２４Ａに一体的につながった剛性基端部２３Ａと、該剛性基端部２３Ａからほぼ円周方向沿ってＣ１方向に反時計回りに延びた弾性腕部２３Ｂと、該弾性腕部２３Ｂの先端において半径方向内向きに曲がった先端爪部２３Ｃとを有する。従って、先端爪部２３ＣがＣ１方向に回転されて先端爪部２３Ｃが外縁２３Ｄで他の歯部に係合すると、該先端爪部２３Ｃは該歯部を備えた車を強制的に回転させる。一方、他の歯部がＣ１方向に移動して先端爪部２３Ｃの内縁２３Ｅに係合する場合、該歯部のＣ１方向移動に応じて弾性腕部２３ＢがＤ１方向に撓んで先端爪部２３ＣがＤ１方向に逃げ、該歯部のＣ１方向移動を許容する。
【００２９】
なお、簡易月表示式カレンダ時計１は、筒車１３の歯車部１６に日回し歯車部３１で噛合した日回し車３０を有する。日回し車３０は、筒車１３の時計回りＣ２の回転に応じて、反時計回りＣ１に１日に一回転する。日回し車３０は、日回し爪３２を備え、該日回し爪３２は、日車２０の内歯歯車２２の歯部２５の先端近傍及び谷部２６の側面に係合して、一日に一ステップだけ、日車２０をＣ１方向に回転させる。
【００３０】
日回し爪３２も日回し車本体３３に一体的な剛性基端部３２Ａと、該剛性基端部３２Ａから反時計回りＣ１に円周方向に延びた弾性腕部３２Ｂと、該弾性腕部３２Ｂの先端に形成され半径方向外向きに突出する共に係合凹部３２Ｄを備えた剛性の先端爪部３２Ｃとを有する。従って、先端爪部３２ＣがＣ１方向に回転されて先端爪部３２Ｃが係合凹部３２Ｄで日車２０の内歯歯車２２の歯部２５に係合すると、該先端爪部３２Ｃは該内歯歯車２２を備えた日車２０を強制的にＣ１方向に回転させる。一方、日車２０がＣ１方向に回転されて日車２０の内歯歯車２２の歯部２５が先端爪部３２Ｃの外縁３２Ｅに係合するような場合、該歯部２５のＣ１方向移動に応じて弾性腕部３２ＢがＥ１方向に撓んで先端爪部３２ＣがＥ１方向に逃げ、該歯部２５のＣ１方向移動を許容する。
【００３１】
月車４０は、図２からわかるように、比較的厚肉の環状本体部４１とこれに取付けられた月板４２とを備え、環状本体部４１の中央開口部４１Ａで筒車１３の胴部１７に中心軸線Ｃのまわりで回転自在に嵌合されている。月車４０は、環状本体部４１のうち厚さ方向Ｚに関して文字板２に近接する外周部分に大径の歯車部４３を備えると共に、厚さ方向Ｚに関して文字板２から遠い外周部分に小径の歯車部４４を備える。
【００３２】
図１からわかるように、歯車部４３は、１２個の小凹部４５及びその間の円弧状の幅広の凸部ないし歯部４６を備える。一方、歯車部４４は、１２個の歯部４７及び同数の谷部４８を備える。
【００３３】
日車２０と月車４０の本体部４１との間の環状の隙間には、月中間車５０が配設されている。月中間車５０は、月車４０の大径歯車部４３の小凹部４５に係合される小突起部５１を等間隔に備える。時中間車５０は、小突起部５１で日車２０の月送り爪２３の先端爪部２３Ｃと係合可能である。従って、日車２０の回転に伴い、月送り爪２３が月中間車５０の前を通る毎に、月送り爪２３が月中間車５０を一ステップだけＦ１方向に回転させる。月送り爪２３が月中間車５０の小突起部５１を押して月中間車５０を回転させるのは、日表示窓３における日表示が、「３１」から「１」に変るときである。
【００３４】
月中間車５０は小突起部５１で月車４０の小凹部４５に係合するので、月中間車５０のＦ１方向回転に伴い、月車４０の大径歯車部４３が一ステップだけＣ２方向に回転される。その結果、日表示が「３１」から「１」に変るタイミングで、月車４０が回転され、月表示窓４における月表示が一月分だけ進む。
【００３５】
なお、環状領域には、日車２０の内歯歯車２２に対して躍制動作をする日ジャンパ２８、及び月車４０の小径歯車部４４に対して躍制動作をする月ジャンパ４９が設けられ、夫々、日車２０及び月車４０を一ステップだけ回転させると共に一ステップ回転する毎に日車２０及び月車４０を当該回転位置に制止する。すなわち、基本的には、月送り爪２３の回転力が月中間車５０を介して大径歯車部４３に伝えられて月車４０が回転するけれども、大径歯車部４３は凹部４５は小さく隣接凹部４５，４５の凸部４６が円弧状であることから大径歯車部４３はジャンパによる躍制動作を受けるに適さないので、隣接歯部４７，４７間に幅広で且つ深い谷部４８を備えた小径歯車部４４に対して月ジャンパ４９による躍制動作が行われるようになっている。なお、図面の見易さを考慮して、月ジャンパ４９については、図１では躍制爪部の近傍だけが示されそのバネ部や支持端部は省略されている。但し、所望ならば、月ジャンパ４９は、小径歯車部４４の代わりに、大径歯車部４３３に対して躍制動作をするようになっていてもよい。
【００３６】
簡易月表示式カレンダ時計１は、更に、カレンダ修正機構８を備え、該カレンダ修正機構８は、カレンダ修正伝え機構６０とカレンダ修正車７０と、月修整伝え車８０とを有する。なお、巻真５は、その長手方向Ｇに出し入れ可能で、Ｇ１方向に所定段だけ引出された際に、カレンダ修正巻真位置を採る。また、巻真５は、その中心軸線Ｈのまわりで、Ｈ１，Ｈ２方向に回転可能である。
【００３７】
カレンダ修正伝え機構６０は、第一カレンダ修正伝え車６１と第二カレンダ修正伝え車６２とを有する。
【００３８】
第一カレンダ修正伝え車６１は、例えば角穴を備え、巻真５がカレンダ修正巻真位置に設定された際に巻真５の角柱状部に角穴で嵌合し、巻真５のＨ１，Ｈ２方向回転に従って、Ｈ１，Ｈ２方向に回転される。巻真５がゼロ段目（通常運針位置に一致する押込み位置）にある際には、第一カレンダ修正伝え車６１は、巻真５に対して相対回転可能である。
【００３９】
第二カレンダ修正伝え車６２は、第一カレンダ修正伝え車６１に噛合する歯車部６３と、周方向の平歯車部６４とを有する。従って、カレンダ修正巻真位置にある巻真５がＨ１，Ｈ２方向に回転されると、第二カレンダ修正伝え車６２の平歯車部６４は、Ｊ１，Ｊ２方向に回転する。
【００４０】
カレンダ修正車７０は、カレンダ修正伝え機構６０の第二カレンダ修正伝え車６２の平歯車部６４に噛合し且つ揺動可能に構成されている。従って、第二カレンダ修正伝え車６２がＪ１方向に回転されると、カレンダ修正車７０は、Ｋ１方向に揺動されたカレンダ修正位置Ｌ１を採って日車２０の内歯歯車２２に噛合すると共に、反時計回りＭ１に回転されることにより、日車２０をＣ１方向に回転させる。一方、第二カレンダ修正伝え車６２がＪ２方向に回転されると、カレンダ修正車７０は、Ｋ２方向に揺動された非カレンダ修正位置としての月修正位置Ｌ２（想像線で示した位置）を採ると共に時計回りＭ２に回転される。
【００４１】
月修正伝え車８０は、月車４０の小径歯車部４４に係合した歯車部８１を備え、カレンダ修正車７０が月修正位置Ｌ２に設定されると、該カレンダ修正車７０の歯部７１と噛合する。歯車部８１の歯部８２は一方向に回転を伝達するに適した形状を有する。従って、カレンダ修正巻真位置にある巻真５のＨ２方向回転に伴いカレンダ修正伝え機構６０を介してカレンダ修正車７０が月修正位置Ｌ２に揺動されると共にＭ２方向に回転されると、月修正伝え車８０は、該カレンダ修正車７０の該Ｍ２方向回転に応じて反時計回りＮ２に回転され、小径歯車部４４を介して月車４０をＣ２方向に回転させる。なお、このとき、月中間車５０もＦ１方向に回転される。一方、月送り爪２３は、先端爪部２３Ｃの外縁２３Ｄで月中間車５０の歯５１を押す形状になっているので、仮に月送り爪２３の先端爪部２３Ｃが月中間車５０の歯５１に近接する位置にある場合でも、Ｆ１方向に回転される月中間車５０の歯５１が月送り爪２３の先端爪部２３Ｃの内縁２３Ｅを押すから、月送り爪２３の弾性腕部２３ＢがＤ１方向に撓む。従って、月送り爪２３が月中間車５０の回転を妨げる虞れは実際上ない。
【００４２】
以上において、カレンダ修正機構８は、少なくとも、カレンダ修正伝え機構６０と、カレンダ修正車７０とからなる。すなわち、小の月から次の月に移る際の月末修正をユーザが手動操作で行うためのカレンダ修正機構８は、基本的には、日車２０の回転位置を手動操作の如き外部からの操作で修正するための機構からなり、月送り爪２３を介して日車２０に結合された月車４０の回転位置は、日車２０の回転位置修正に従って自動的に修正され得る。
【００４３】
以上の如く構成された簡易月表示式カレンダ時計１では、通常運針時には、筒車１３の回転に伴なう日回し車３０の回転に応じて、日ジャンパ２８で躍制された日車２０が日回し爪３２によりＣ２方向に回転されて、日表示が進められ、日表示窓３を介して日付けが表示され、且つ月表示窓４を介して月が表示される。また、大の月が終わる場合、日表示が「３１」から「１」に変る際に、月中間車５０を介して日車２０の月送り爪２３に結合され月ジャンパ４９で躍制された月車４０の月表示も一つ進められるので、日表示窓３を介して正しい日付けが表示され、且つ月表示窓４を介して正しい月が表示される。
【００４４】
一方、小の月が例えば３０日で終わる場合、日表示が「３０」から「３１」に変るだけで、月表示は元のまま変らない。従って、ユーザは、巻真５をカレンダ修正巻真位置に設定し、巻真５をＨ１方向に回転させることにより、カレンダ修正伝え機構６０を介してカレンダ修正車７０を日車２０の内歯歯車２２に噛合させると共にカレンダ修正車７０をＭ１方向に回転させて、日車２０を進み方向Ｃ１に回す。これにより、日ジャンパ２８で躍制された日車２０の日表示が「３１」から「１」に変る。また、日車２０のＣ１方向回転に伴って日表示が「３１」から「１」に変る際に、日車２０の月送り爪２３が月中間車５０を介して月ジャンパ４９で躍制された月車４０を回転させる。その結果、月表示が一つ進められる。これにより、カレンダ修正が完了する。
【００４５】
以上のとおり、この簡易月表示式カレンダ時計１では、日車２０の月送り爪２３により月中間車５０を介して月車４０を直接回転させるように構成されているので、構造が極めて簡単化され得、また、カレンダ修正機構８により、単に、日車２０を所定ステップ（２月から３月に入るとき以外は一ステップ）回転させるだけで、月末修正も容易に行われ得る。
【図面の簡単な説明】
【００４６】
【図１】本発明による好ましい一実施例の簡易月表示式カレンダ時計の本体部の平面説明図。
【図２】図１の簡易月表示式カレンダ時計の本体部の一部の拡大断面説明図（月車の月板部を省いた状態）。
【図３】図１の簡易月表示式カレンダ時計の平面説明図（但し、時刻表示針は省いてある）。
【符号の説明】
【００４７】
１  簡易月表示式カレンダ時計
２  文字板
３  日表示窓
４  月表示窓
５  巻真
７  カレンダ機構
８  カレンダ修正機構
１０  時計本体
１１  四番車（秒車）
１２  二番車（分車）
１３  筒車（時車）
１４  地板
１５  輪列受
１６  歯車部
１７  胴部
２０  日車
２１  日板部
２２  内歯歯車
２３  月送り爪
２３Ａ  剛性基端部
２３Ｂ  弾性腕部
２３Ｃ  先端爪部
２３Ｄ  外縁
２３Ｅ  内縁
２４  内周側環状部
２４Ａ  内周側環状部の本体部
２５  歯部
２６  凹部（谷部）
２７  切欠部
２８  日ジャンパ
３０  日回し車
３１  日回し歯車部
３２  日回し爪
３２Ａ  剛性基端部
３２Ｂ  弾性腕部
３２Ｃ  先端爪部
３２Ｄ  係合凹部
３２Ｅ  外周縁
３３  日回し車本体
４０  月車
４１  環状本体部
４２  中央開口部
４３  大径歯車部
４４  小径歯車部
４５  小凹部
４６  幅広凸部（歯部）
４７  歯部
４８  谷部
４９  月ジャンパ
５０  月中間車
５１  小突起部
６０  カレンダ修正伝え機構
６１  第一カレンダ修正伝え車
６２  第二カレンダ修正伝え車
６３  歯車部
６４  平歯車部
７０  カレンダ修正車
７１  歯部
８０  月修正伝え車
８１  歯車部
Ｃ  中心軸線
Ｃ１，Ｃ２，Ｆ１，Ｈ１，Ｈ２，Ｊ１，Ｊ２，Ｍ１，Ｍ２，Ｎ２  回転方向
Ｄ１，Ｅ１  撓み方向
Ｇ  巻真の長手方向
Ｇ１，Ｇ２  巻真の出し入れ方向
Ｋ１，Ｋ２  揺動方向
Ｌ１  カレンダ修正位置
Ｌ２  非カレンダ修正位置（月修正位置）
Ｚ  厚さ方向
【図１】
2008111700.tif 000003
【図２】
2008111700.tif 000004
【図３】
2008111700.tif 000005